【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
作動装置１０により作動して着座者を車両用シート１に拘束する任意機器Ｋを設け、前記作動装置１０は、ガスジェネレータ１６で発生する高圧ガスのガス圧によってシリンダ１１内のピストン１２を移動させ、該ピストン１２の移動による反力でシリンダ１１を移動させて、もって、前記シリンダ１１と前記ピストン１２とが互いに反力により夫々反対方向に移動し、該シリンダ１１と前記ピストン１２の移動を一対のワイヤーケーブル１３により前記任意機器Ｋに伝動して着座者を拘束するように構成し、前記ガスジェネレータ１６のピストン１２を移動させるガス圧力は、前記ピストン１２の移動途中で上昇させるように構成した車両用シート。
【請求項２】
請求項１において、前記ピストン１２の移動途中での前記ガスジェネレータ１６のガス圧を上昇させる構成は、シリンダ１１内のピストン１２に作用するガスジェネレータ１６のガスが当たる有効断面積となるガス作用面の面積を、ピストン１２の移動開始時より移動途中の面積が大となるように構成し、前記ガスジェネレータ１６を設けた側のシリンダ１１内に該シリンダ１１より小径で該シリンダ１１と軸心が平行の内筒部材２２を設け、該内筒部材２２にワイヤーケーブル１３の他方側ケーブル１３Ｂを挿通し、他方側ケーブル１３Ｂ端部はピストン１２に係止し、該ピストン１２の筒状で先端が閉塞された嵌合筒部２４を前記内筒部材２２の外周に摺動自在に嵌合させ、前記内筒部材２２の外周とシリンダ１１の内周とピストン１２の大径部２６とにより包囲されたガス噴出室２０内に臨む前記ピストン１２の大径部２６のガスジェネレータ１６側の端面を前記ガス作用面となる第一作用面Ｗ１とし、前記内筒部材２２の先端より突き出る他方側ケーブル１３Ｂには閉塞部材２５を挿通し、該閉塞部材２５はピストン１２の嵌合筒部２４内に密に嵌合させ、ピストン１２が第一作用面Ｗ１により移動する状態で閉塞部材２５は内筒部材２２の先端位置に留まってピストン１２のみが移動するように構成し、前記第一作用面Ｗ１へのガス圧によりピストン１２の大径部２６が内筒部材２２の先端を通過すると、閉塞部材２５はピストン１２共に移動し、前記閉塞部材２５と大径部２６の移動方向後側の夫々の端面を合わせて前記ガス作用面となる第二作用面Ｗ２に構成し、前記第一作用面Ｗ１よりも第二作用面Ｗ２の面積を大に構成し、前記閉塞部材２５は、所定長さを有する円柱部材３８の外周にピストンリング３９を装着して形成し、前記ピストンリング３９は前記嵌合筒部２４内に嵌合させ、ピストン１２の大径部２６が内筒部材２２の先端を通過するとピストン１２の大径部２６の内周に設けた凹部４０に前記ピストンリング３９が係合する構成とし、前記ワイヤケーブル１３の一対の一方側ケーブル１３Ａと他方側ケーブル１３Ｂのうちの一方側ケーブル１３Ａの一端はシリンダ１１のシリンダ側ワイヤ係止部１７に接続し、該一方側ケーブル１３Ａと前記他方側ケーブル１３Ｂの他端部は任意の係止部Ｔに夫々接続し、前記シリンダ１１と前記係止部Ｔとは、シリンダ１１の軸心方向を左右方向とし、前記係止部Ｔは前記シリンダ１１の軸心方向に対して交差方向に前記ワイヤケーブル１３が牽引されるように夫々配置した車両用シート。
【請求項３】
請求項１において、前記ピストン１２の移動途中での前記ガスジェネレータ１６のガス圧を上昇させる構成は、シリンダ１１内のピストン１２に作用するガスジェネレータ１６のガスが当たる有効断面積となるガス作用面の面積を、ピストン１２の移動開始時より移動途中の面積が大となるように構成した車両用シート。
【請求項４】
請求項３において、前記ガスジェネレータ１６を設けた側のシリンダ１１内に該シリンダ１１より小径で該シリンダ１１と軸心が平行の内筒部材２２を設け、該内筒部材２２にワイヤーケーブル１３の他方側ケーブル１３Ｂを挿通し、他方側ケーブル１３Ｂ端部はピストン１２に係止し、該ピストン１２の筒状で先端が閉塞された嵌合筒部２４を前記内筒部材２２の外周に摺動自在に嵌合させ、前記内筒部材２２の外周とシリンダ１１の内周とピストン１２の大径部２６とにより包囲されたガス噴出室２０内に臨む前記ピストン１２の大径部２６のガスジェネレータ１６側の端面を前記ガス作用面となる第一作用面Ｗ１とし、前記内筒部材２２の先端より突き出る他方側ケーブル１３Ｂには閉塞部材２５を挿通し、該閉塞部材２５はピストン１２の嵌合筒部２４内に密に嵌合させ、ピストン１２が第一作用面Ｗ１により移動する状態で閉塞部材２５は内筒部材２２の先端位置に留まってピストン１２のみが移動するように構成し、前記第一作用面Ｗ１へのガス圧によりピストン１２の大径部２６が内筒部材２２の先端を通過すると、閉塞部材２５はピストン１２共に移動し、前記閉塞部材２５と大径部２６の移動方向後側の夫々の端面を合わせて前記ガス作用面となる第二作用面Ｗ２に構成し、前記第一作用面Ｗ１よりも第二作用面Ｗ２の面積を大に構成した車両用シート。
【請求項５】
請求項４において、前記閉塞部材２５は、所定長さを有する円柱部材３８の外周にピストンリング３９を装着して形成し、前記ピストンリング３９は前記嵌合筒部２４内に嵌合させ、ピストン１２の大径部２６が内筒部材２２の先端を通過するとピストン１２の大径部２６の内周に設けた凹部４０に前記ピストンリング３９が係合する構成とした車両用シート。
【請求項６】
請求項１または請求項３または請求項４または請求項５において、前記ワイヤケーブル１３の一対の一方側ケーブル１３Ａと他方側ケーブル１３Ｂの夫々の一端はシリンダ１１のシリンダ側ワイヤ係止部１７および前記ピストン１２に夫々接続し、該一方側ケーブル１３Ａと他方側ケーブル１３Ｂの他端部は任意の係止部Ｔに夫々接続し、前記シリンダ１１と前記係止部Ｔとは、シリンダ１１の軸心方向を左右方向とし、前記係止部Ｔは前記シリンダ１１の軸心方向に対して交差方向に前記ワイヤケーブル１３が牽引されるように夫々配置した車両用シート。
【請求項７】
請求項１または請求項３または請求項４または請求項５または請求項６において、前記車両用シートの任意機器Ｋは車両用シート１の座席シート３の移動装置とし、前記作動装置１０は前記座席シート３を後方移動させる座席移動用プリテンショナ装置１０Ａとし、該座席移動用プリテンショナ装置１０Ａは、車体が所定以上の加速を受けると、前記シリンダ１１および前記ピストン１２の移動を前記ワイヤケーブル１３により前記座席シート３に伝達して車体側に取付けた固定フレーム４６に対して前記座席シート３が後方移動するように構成した車両用シート。
【請求項８】
請求項１または請求項２または請求項３または請求項４または請求項５または請求項６または請求項７において、前記車両用シートの任意機器Ｋは、車両用シート１の着座者を拘束するシートベルト４０とし、前記作動装置１０は前記シートベルト４０を緊張させるベルト用プリテンショナ装置１０Ｂとし、該ベルト用プリテンショナ装置１０Ｂは、所定以上の加速度を受けると、前記ベルト用プリテンショナ装置１０Ｂの前記シリンダ１１および前記ピストン１２の移動を前記ワイヤケーブル１３により前記シートベルト４０に伝達して乗員を拘束させる方向にシートベルト４０が移動するように構成した車両用シート。
【請求項９】
請求項８において、前記車両用シートの任意機器Ｋとして車両用シート１の座席シート３の移動装置およびシートベルト４０を併存させ、前記作動装置１０として前記座席シート３を後方移動させる座席移動用プリテンショナ装置１０Ａとベルト用プリテンショナ装置１０Ｂとを設け、前記座席移動用プリテンショナ装置１０Ａのシリンダ１１は、前記ベルト用プリテンショナ装置１０Ｂのシリンダ１１よりも上方に位置させ、座席移動用プリテンショナ装置１０Ａのシリンダ１１が座席シート３と共に後方移動したベルト用プリテンショナ装置１０Ｂのシリンダ１１に干渉しないように配置構成した車両用シート。
【請求項１０】
ガスジェネレータ１６で発生する高圧ガスを、前記シリンダ１１内に設けた内筒部材２２の外周と該内筒部材２２の外周に嵌合するピストン１２の嵌合筒部２４の基部の大径部２６とに包囲された空間に噴射し、シリンダ１１内に噴射されたガスはピストン１２の大径部２６の端面となる第一作用面Ｗ１に当たってピストン１２を前記内筒部材２２の先端まで移動させ、ピストン１２が内筒部材２２の先端まで移動するまで他方側ケーブル１３Ｂに挿通した閉塞部材２５は内筒部材２２の先端位置に留まらせ、ピストン１２が内筒部材２２の先端まで移動すると、内筒部材２２の先端より先側のピストン１２の移動するシリンダ１１の空間内の前記大径部２６と前記閉塞部材２５により構成される第二作用面Ｗ２に、ガスジェネレータ１６から噴射したガスの圧力を当て、閉塞部材２５とピストン１２とを共に移動させ、このピストン１２の移動による反力でシリンダ１１とピストン１２とを互いに夫々反対方向に移動させ、このシリンダ１１とピストン１２の夫々の移動を一対のワイヤーケーブル１３により伝動して着座者を拘束する任意機器Ｋを作動させる車両用シートの着座者を拘束する作動方法。
【手続補正２】
【補正対象書類名】明細書
【補正対象項目名】０００４
【補正方法】変更
【補正の内容】
【０００４】
請求項１の発明は、作動装置１０により作動して着座者を車両用シート１に拘束する任意機器Ｋを設け、前記作動装置１０は、ガスジェネレータ１６で発生する高圧ガスのガス圧によってシリンダ１１内のピストン１２を移動させ、該ピストン１２の移動による反力でシリンダ１１を移動させて、もって、前記シリンダ１１と前記ピストン１２とが互いに反力により夫々反対方向に移動し、該シリンダ１１と前記ピストン１２の移動を一対のワイヤーケーブル１３により前記任意機器Ｋに伝動して着座者を拘束するように構成し、前記ガスジェネレータ１６のピストン１２を移動させるガス圧力は、前記ピストン１２の移動途中で上昇させるように構成した車両用シートとしたものである。
請求項２の発明は、前記ピストン１２の移動途中での前記ガスジェネレータ１６のガス圧を上昇させる構成は、シリンダ１１内のピストン１２に作用するガスジェネレータ１６のガスが当たる有効断面積となるガス作用面の面積を、ピストン１２の移動開始時より移動途中の面積が大となるように構成し、前記ガスジェネレータ１６を設けた側のシリンダ１１内に該シリンダ１１より小径で該シリンダ１１と軸心が平行の内筒部材２２を設け、該内筒部材２２にワイヤーケーブル１３の他方側ケーブル１３Ｂを挿通し、他方側ケーブル１３Ｂ端部はピストン１２に係止し、該ピストン１２の筒状で先端が閉塞された嵌合筒部２４を前記内筒部材２２の外周に摺動自在に嵌合させ、前記内筒部材２２の外周とシリンダ１１の内周とピストン１２の大径部２６とにより包囲されたガス噴出室２０内に臨む前記ピストン１２の大径部２６のガスジェネレータ１６側の端面を前記ガス作用面となる第一作用面Ｗ１とし、前記内筒部材２２の先端より突き出る他方側ケーブル１３Ｂには閉塞部材２５を挿通し、該閉塞部材２５はピストン１２の嵌合筒部２４内に密に嵌合させ、ピストン１２が第一作用面Ｗ１により移動する状態で閉塞部材２５は内筒部材２２の先端位置に留まってピストン１２のみが移動するように構成し、前記第一作用面Ｗ１へのガス圧によりピストン１２の大径部２６が内筒部材２２の先端を通過すると、閉塞部材２５はピストン１２共に移動し、前記閉塞部材２５と大径部２６の移動方向後側の夫々の端面を合わせて前記ガス作用面となる第二作用面Ｗ２に構成し、前記第一作用面Ｗ１よりも第二作用面Ｗ２の面積を大に構成し、前記閉塞部材２５は、所定長さを有する円柱部材３８の外周にピストンリング３９を装着して形成し、前記ピストンリング３９は前記嵌合筒部２４内に嵌合させ、ピストン１２の大径部２６が内筒部材２２の先端を通過するとピストン１２の大径部２６の内周に設けた凹部４０に前記ピストンリング３９が係合する構成とし、前記ワイヤケーブル１３の一対の一方側ケーブル１３Ａと他方側ケーブル１３Ｂのうちの一方側ケーブル１３Ａの一端はシリンダ１１のシリンダ側ワイヤ係止部１７に接続し、該一方側ケーブル１３Ａと前記他方側ケーブル１３Ｂの他端部は任意の係止部Ｔに夫々接続し、前記シリンダ１１と前記係止部Ｔとは、シリンダ１１の軸心方向を左右方向とし、前記係止部Ｔは前記シリンダ１１の軸心方向に対して交差方向に前記ワイヤケーブル１３が牽引されるように夫々配置した車両用シートとしたものである。
請求項３の発明は、前記ピストン１２の移動途中での前記ガスジェネレータ１６のガス圧を上昇させる構成は、シリンダ１１内のピストン１２に作用するガスジェネレータ１６のガスが当たる有効断面積となるガス作用面の面積を、ピストン１２の移動開始時より移動途中の面積が大となるように構成した車両用シートとしたものである。
請求項４の発明は、前記ガスジェネレータ１６を設けた側のシリンダ１１内に該シリンダ１１より小径で該シリンダ１１と軸心が平行の内筒部材２２を設け、該内筒部材２２にワイヤーケーブル１３の他方側ケーブル１３Ｂを挿通し、他方側ケーブル１３Ｂ端部はピストン１２に係止し、該ピストン１２の筒状で先端が閉塞された嵌合筒部２４を前記内筒部材２２の外周に摺動自在に嵌合させ、前記内筒部材２２の外周とシリンダ１１の内周とピストン１２の大径部２６とにより包囲されたガス噴出室２０内に臨む前記ピストン１２の大径部２６のガスジェネレータ１６側の端面を前記ガス作用面となる第一作用面Ｗ１とし、前記内筒部材２２の先端より突き出る他方側ケーブル１３Ｂには閉塞部材２５を挿通し、該閉塞部材２５はピストン１２の嵌合筒部２４内に密に嵌合させ、ピストン１２が第一作用面Ｗ１により移動する状態で閉塞部材２５は内筒部材２２の先端位置に留まってピストン１２のみが移動するように構成し、前記第一作用面Ｗ１へのガス圧によりピストン１２の大径部２６が内筒部材２２の先端を通過すると、閉塞部材２５はピストン１２共に移動し、前記閉塞部材２５と大径部２６の移動方向後側の夫々の端面を合わせて前記ガス作用面となる第二作用面Ｗ２に構成し、前記第一作用面Ｗ１よりも第二作用面Ｗ２の面積を大に構成した車両用シートとしたものである。
請求項５の発明は、前記閉塞部材２５は、所定長さを有する円柱部材３８の外周にピストンリング３９を装着して形成し、前記ピストンリング３９は前記嵌合筒部２４内に嵌合させ、ピストン１２の大径部２６が内筒部材２２の先端を通過するとピストン１２の大径部２６の内周に設けた凹部４０に前記ピストンリング３９が係合する構成とした車両用シートとしたものである。
請求項６の発明は、前記ワイヤケーブル１３の一対の一方側ケーブル１３Ａと他方側ケーブル１３Ｂの夫々の一端はシリンダ１１のシリンダ側ワイヤ係止部１７および前記ピストン１２に夫々接続し、該一方側ケーブル１３Ａと他方側ケーブル１３Ｂの他端部は任意の係止部Ｔに夫々接続し、前記シリンダ１１と前記係止部Ｔとは、シリンダ１１の軸心方向を左右方向とし、前記係止部Ｔは前記シリンダ１１の軸心方向に対して交差方向に前記ワイヤケーブル１３が牽引されるように夫々配置した車両用シートとしたものである。
請求項７の発明は、前記車両用シートの任意機器Ｋは車両用シート１の座席シート３の移動装置とし、前記作動装置１０は前記座席シート３を後方移動させる座席移動用プリテンショナ装置１０Ａとし、該座席移動用プリテンショナ装置１０Ａは、車体が所定以上の加速を受けると、前記シリンダ１１および前記ピストン１２の移動を前記ワイヤケーブル１３により前記座席シート３に伝達して車体側に取付けた固定フレーム４６に対して前記座席シート３が後方移動するように構成した車両用シートとしたものである。
請求項８の発明は、前記車両用シートの任意機器Ｋは、車両用シート１の着座者を拘束するシートベルト４０とし、前記作動装置１０は前記シートベルト４０を緊張させるベルト用プリテンショナ装置１０Ｂとし、該ベルト用プリテンショナ装置１０Ｂは、所定以上の加速度を受けると、前記ベルト用プリテンショナ装置１０Ｂの前記シリンダ１１および前記ピストン１２の移動を前記ワイヤケーブル１３により前記シートベルト４０に伝達して乗員を拘束させる方向にシートベルト４０が移動するように構成した車両用シートとしたものである。
請求項９の発明は、前記車両用シートの任意機器Ｋとして車両用シート１の座席シート３の移動装置およびシートベルト４０を併存させ、前記作動装置１０として前記座席シート３を後方移動させる座席移動用プリテンショナ装置１０Ａとベルト用プリテンショナ装置１０Ｂとを設け、前記座席移動用プリテンショナ装置１０Ａのシリンダ１１は、前記ベルト用プリテンショナ装置１０Ｂのシリンダ１１よりも上方に位置させ、座席移動用プリテンショナ装置１０Ａのシリンダ１１が座席シート３と共に後方移動したベルト用プリテンショナ装置１０Ｂのシリンダ１１に干渉しないように配置構成した車両用シートとしたものである。
請求項１０の発明は、ガスジェネレータ１６で発生する高圧ガスを、前記シリンダ１１内に設けた内筒部材２２の外周と該内筒部材２２の外周に嵌合するピストン１２の嵌合筒部２４の基部の大径部２６とに包囲された空間に噴射し、シリンダ１１内に噴射されたガスはピストン１２の大径部２６の端面となる第一作用面Ｗ１に当たってピストン１２を前記内筒部材２２の先端まで移動させ、ピストン１２が内筒部材２２の先端まで移動するまで他方側ケーブル１３Ｂに挿通した閉塞部材２５は内筒部材２２の先端位置に留まらせ、ピストン１２が内筒部材２２の先端まで移動すると、内筒部材２２の先端より先側のピストン１２の移動するシリンダ１１の空間内の前記大径部２６と前記閉塞部材２５により構成される第二作用面Ｗ２に、ガスジェネレータ１６から噴射したガスの圧力を当て、閉塞部材２５とピストン１２とを共に移動させ、このピストン１２の移動による反力でシリンダ１１とピストン１２とを互いに夫々反対方向に移動させ、このシリンダ１１とピストン１２の夫々の移動を一対のワイヤーケーブル１３により伝動して着座者を拘束する任意機器Ｋを作動させる車両用シートの着座者を拘束する作動方法としたものである。
【手続補正３】
【補正対象書類名】明細書
【補正対象項目名】０００５
【補正方法】変更
【補正の内容】
【０００５】
請求項１および請求項２の発明では、着座者を拘束する任意機器Ｋを作動させる作動装置１０のガスジェネレータ１６のガス圧力を、ピストン１２の移動途中で上昇させるので、着座者の拘束効果を向上させることができ、例えば、作動装置１０によりシートベルト４０を緊張させて着座者を拘束する装置では、最初、ガスジェネレータ１６のガス圧力でピストン１２を移動させ、シートベルト４０の弛みを取り、ついで、ピストン１２を移動させるガス圧を上昇させてシートベルト４０による着座者の拘束効果を向上させることができる。
請求項３の発明では、ピストン１２のガスが当たる有効断面積となるガス作用面の面積を、ピストン１２の移動開始時の第一作用面Ｗ１より移動途中の第二作用面Ｗ２の面積を大きくするので、ピストン１２の移動途中のガス圧力の上昇を簡単に実現できる。
請求項４の発明では、嵌合筒部２４内に設けた閉塞部材２５と大径部２６によりピストン１２の移動途中の第二作用面Ｗ２を構成するので、閉塞部材２５が第二作用面Ｗ２の面積を大きくすると共に、ガス噴出室２０の容積を小さくすることができ、ピストン１２の移動途中でのガス圧の上昇効率を向上させることができる。
請求項５の発明では、閉塞部材２５のピストンリング３９がピストン１２の凹部４０に嵌合するので、ピストン１２との一体移動を確実にすることができる。
請求項６の発明では、シリンダ１１と係止部Ｔとを、シリンダ１１の軸心方向に対して交差方向にワイヤケーブル１３が牽引されるように配置しているので、車両用シートの任意機器Ｋの作動を確実にさせることができる。
請求項７の発明では、車両用シート１の座席シート３の移動装置の座席移動用プリテンショナ装置１０Ａにより着座者拘束装置を構成しているので、着座者を拘束する座席シート３の移動を確実にして、シートベルト４０の着座者の拘束効果を向上させることができる。
請求項８の発明では、車両用シート１の着座者を拘束するシートベルト４０により着座者拘束装置を構成しているので、着座者を拘束するシートベルト４０の締め付けを確実にして、着座者の拘束効果を向上させることができる。
請求項９の発明では、座席移動用プリテンショナ装置１０Ａおよびベルト用プリテンショナ装置１０Ｂの両者を、車両用シートに装着でき、着座者の拘束効果を一層向上させた車両用シートを提供することができ、また、座席移動用プリテンショナ装置１０Ａおよびベルト用プリテンショナ装置１０Ｂの上下の設置スペースを小さくでき、また、座席移動用プリテンショナ装置１０Ａおよびベルト用プリテンショナ装置１０Ｂのシリンダ１１の干渉を防止できる。
請求項１０の発明では、ピストン１２の移動途中の第二作用面Ｗ２によりガス噴出室２０の容積を小さくすることができ、ピストン１２の移動途中でのガス圧の上昇効率を向上させることができ、着座者の拘束効果を向上させることができる。
【手続補正４】
【補正対象書類名】明細書
【補正対象項目名】００２３
【補正方法】変更
【補正の内容】
【００２３】
即ち、ガスジェネレータ１６の多量のガスにより瞬時に移動するピストン１２の反力をシリンダ１１に作用させて、ピストン１２とシリンダ１１とを互いに反対方向に移動するように構成する。
それゆえ、一つのシリンダ１１（ピストン１２）によっても、シリンダ１１に接続した一方側ケーブル１３Ａと、ピストン１２に接続した他方側ケーブル１３Ｂとは、略同時に略同量牽引されて、ワイヤーケーブル１３は乗員を車両用シート１に拘束する。この略同時および略同量は意識して差を設けないという意味である。
しかして、ベルト用プリテンショナ装置１０Ｂの前記シリンダ１１および前記ピストン１２と左右のアンカープレート４１およびインナーラップアンカー４２（係止部Ｔ）との間の前記ワイヤケーブル１３の一対の一方側ケーブル１３Ａと他方側ケーブル１３Ｂの夫々の中間部には夫々前記ケーブルガイド（ベルト用ケーブルガイド）６１を設ける。